【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
アイテム間の関連度を示す第１のスコアを算出する第１のスコア算出部と、
アイテム間の関連度を示す第２のスコアを算出する第２のスコア算出部と、
同じアイテムの組に対して前記第１のスコア算出部により算出された第１のスコアと前記第２のスコア算出部により算出された第２のスコアとの関係を示す関係情報に基づき、前記第２のスコア算出部により算出された第２のスコアを前記第１のスコアと同等の尺度に変換して変換後スコアを算出する尺度変換部と、
同じアイテムの組について前記第１のスコア算出部により算出された第１のスコアと前記尺度変換部により算出された変換後スコアとを組み合わせて評価スコアを算出する評価スコア算出部と、
を備える、
情報処理装置。
【請求項２】
同じアイテムの組について前記第１のスコア算出部により算出された第１のスコアと前記第２のスコア算出部により算出された第２のスコアとを対象に回帰分析を実行して前記関係情報を生成する関係情報生成部をさらに備える、
請求項１に記載の情報処理装置。
【請求項３】
前記関係情報生成部は、定期的に前記関係情報を生成し直す、
請求項２に記載の情報処理装置。
【請求項４】
前記評価スコア算出部は、第１の重み値を用いて前記第１のスコアを重み付けし、第２の重み値を用いて前記変換後スコアを重み付けし、重み付け後の前記第１のスコアと、重み付け後の前記変換後スコアとを加算して前記評価スコアを算出する、
請求項１〜３のいずれかに記載の情報処理装置。
【請求項５】
ユーザからフィードバックを受けた対象アイテムに関連するアイテムが前記評価スコアに基づいて当該ユーザに推薦され、推薦されたアイテムに対して当該ユーザがフィードバックを与えた場合に、当該推薦されたアイテムに与えられたフィードバックがポジティブな傾向を示すフィードバックであるか否かを判定するフィードバック判定部と、
前記推薦されたアイテムに対して前記ユーザがフィードバックを与えた場合に、前記フィードバック判定部による判定結果に応じて前記第１の重み値及び前記第２の重み値を調整する重み値調整部と、
をさらに備え、
前記重み値調整部は、
前記フィードバック判定部によりポジティブな傾向を示すフィードバックであると判定され、かつ、前記第１のスコアが前記変換後スコアより大きい場合に、前記第１の重み値を増加させ、前記第２の重み値を減少させ、
前記フィードバック判定部によりポジティブなフィードバック傾向を示すであると判定され、かつ、前記第１のスコアが前記変換後スコアより小さい場合に、前記第１の重み値を減少させ、前記第２の重み値を増加させ、
前記フィードバック判定部によりポジティブな傾向を示すフィードバックでないと判定され、かつ、前記第１のスコアが前記変換後スコアより大きい場合に、前記第１の重み値を減少させ、前記第２の重み値を増加させ、
前記フィードバック判定部によりポジティブな傾向を示すフィードバックでないと判定され、かつ、前記第１のスコアが前記変換後スコアより小さい場合に、前記第１の重み値を増加させ、前記第２の重み値を減少させる、
請求項４に記載の情報処理装置。
【請求項６】
前記重み値調整部は、
前記第１の重み値を増加させる機会が生じた回数ＣＵと、前記第１の重み値を減少させる機会が生じた回数ＣＤとをカウントするカウント部と、
所定のタイミングで前記回数ＣＵと前記回数ＣＤとを比較するカウント数比較部と、
前記所定のタイミングで前記カウント数比較部による比較結果が得られた場合に、当該比較結果に応じて前記第１の重み値及び前記第２の重み値を調整する調整実行部と、
を有し、
前記調整実行部は、
前記回数ＣＵが前記回数ＣＤを上回る場合に、前記第１の重み値を増加させ、前記第２の重み値を減少させ、
前記回数ＣＵが前記回数ＣＤを下回る場合に、前記第１の重み値を減少させ、前記第２の重み値を増加させる、
請求項５に記載の情報処理装置。
【請求項７】
ユーザからフィードバックを受けた対象アイテムに関連するアイテムが前記評価スコアに基づいて当該ユーザに推薦され、推薦されたアイテムに対して当該ユーザがフィードバックを与えた場合に、当該推薦されたアイテムに与えられたフィードバックがポジティブな傾向を示すフィードバックであるか否かを判定するフィードバック判定部と、
前記推薦されたアイテムに対して前記ユーザがフィードバックを与えた場合に、前記フィードバック判定部による判定結果に応じて前記第１の重み値及び前記第２の重み値を調整する重み値調整部と、
をさらに備え、
前記評価スコア算出部は、
第１の重み値を用いて前記第１のスコアを重み付けし、第２の重み値を用いて前記変換後スコアを重み付けし、同じ第３の重み値を用いて前記第１のスコア及び前記変換後スコアをさらに重み付けし、重み付け後の前記第１のスコアと、重み付け後の前記変換後スコアとを加算して前記評価スコアを算出し、
前記重み値調整部は、
前記第３の重み値が１の場合に前記第１の重み値及び前記第２の重み値を変更せず、
前記フィードバック判定部によりポジティブな傾向を示すフィードバックであると判定され、かつ、前記第３の重み値が１より大きい場合に、前記第１の重み値を増加させ、前記第２の重み値を減少させ、
前記フィードバック判定部によりポジティブな傾向を示すフィードバックであると判定され、かつ、前記第３の重み値が１より小さい場合に、前記第１の重み値を減少させ、前記第２の重み値を増加させ、
前記フィードバック判定部によりポジティブな傾向を示すフィードバックでないと判定され、かつ、前記第３の重み値が１より大きい場合に、前記第１の重み値を減少させ、前記第２の重み値を増加させ、
前記フィードバック判定部によりポジティブな傾向を示すフィードバックでないと判定され、かつ、前記第３の重み値が１より小さい場合に、前記第１の重み値を増加させ、前記第２の重み値を減少させる、
請求項４に記載の情報処理装置。
【請求項８】
前記重み値調整部は、
前記第１の重み値を増加させる機会が生じた回数ＣＵと、前記第１の重み値を減少させる機会が生じた回数ＣＤとをカウントするカウント部と、
所定のタイミングで前記回数ＣＵと前記回数ＣＤとを比較するカウント数比較部と、
前記所定のタイミングで前記カウント数比較部による比較結果が得られた場合に、当該比較結果に応じて前記第１の重み値及び前記第２の重み値を調整する調整実行部と、
を有し、
前記調整実行部は、
前記回数ＣＵが前記回数ＣＤを上回る場合に、前記第１の重み値を増加させ、前記第２の重み値を減少させ、
前記回数ＣＵが前記回数ＣＤを下回る場合に、前記第１の重み値を減少させ、前記第２の重み値を増加させる、
請求項７に記載の情報処理装置。
【請求項９】
前記重み値調整部により前記第１の重み値及び前記第２の重み値が変更された場合に、変更後の前記第１の重み値及び変更後の前記第２の重み値をユーザ毎に管理する個別重み値管理部をさらに備える、
請求項５または７に記載の情報処理装置。
【請求項１０】
前記評価スコア算出部により算出された評価スコアをユーザに提示する評価スコア提示部をさらに備える、
請求項１〜９のいずれかに記載の情報処理装置。
【請求項１１】
アイテム間の関連度を示す第３〜第Ｎのスコア（Ｎ≧３）を算出する第３〜第Ｎのスコア算出部をさらに備え、
前記尺度変換部は、
同じアイテムの組に対して前記第１のスコア算出部により算出された第１のスコアと前記第Ｍのスコア算出部（２≦Ｍ≦Ｎ）により算出された第Ｍのスコアとの関係を示す第Ｍの関係情報に基づき、前記第Ｍのスコア算出部により算出された第Ｍのスコアを前記第１のスコアと同等の尺度に変換して第Ｍの変換後スコアを算出し、
前記評価スコア算出部は、
同じアイテムの組に対応する前記第１のスコア算出部により算出された第１のスコアと前記尺度変換部により算出された第２〜第Ｎの変換後スコアとを組み合わせて評価スコアを算出する、
請求項１〜１０のいずれかに記載の情報処理装置。
【請求項１２】
ユーザからフィードバックを受けた対象アイテムとの間で、前記評価スコア算出部により算出された評価スコアが高い値となるアイテムを検出する推薦アイテム検出部と、
前記推薦アイテム検出部により検出されたアイテムを前記ユーザに推薦する推薦部と、
をさらに備える、
請求項１〜１１のいずれかに記載の情報処理装置。
【請求項１３】
前記関係情報生成部は、
ｋ番目（ｋ＝１〜Ｋ）のアイテムの組に対して前記第１のスコア算出部により算出された第１のスコアＸｋと前記第２のスコア算出部により算出された第２のスコアＹｋとを座標点（Ｘｋ，Ｙｋ）とする座標点の分布について線形回帰分析又は非線形回帰分析により回帰直線又は回帰曲線を示す関数を導出し、当該回帰曲線又は回帰曲線を示す関数を前記関係情報とする、
請求項２に記載の情報処理装置。
【請求項１４】
前記第１のスコア算出部は、協調フィルタリング又はコンテンツベースフィルタリングにより前記第１のスコアを算出し、
前記第２のスコア算出部は、コンテンツベースフィルタリング又は協調フィルタリングのうち、前記第１のスコア算出部と異なる方法により前記第２のスコアを算出する、
請求項１に記載の情報処理装置。
【請求項１５】
前記第２のスコアが大きくなりにくいアイテムを強く推薦したい場合に、前記第１の重み値を低下させ、前記第２の重み値を増加させる重み値調整部をさらに備える、
請求項４に記載の情報処理装置。
【請求項１６】
所定の条件を満たすまで前記第２のスコアが正しく算出されないアイテムがある場合に、前記評価スコア算出部は、前記所定の条件を満たすまでの期間、当該アイテムを含むアイテムの組について前記第１のスコア算出部により算出された第１のスコアを用いて評価スコアを算出する、
請求項４に記載の情報処理装置。
【請求項１７】
アイテムに対してフィードバックを与えるためのフィードバック入力部と、
前記フィードバック入力部によりフィードバックが与えられたアイテムの情報をサーバ装置に通知するフィードバック通知部と、
前記フィードバック通知部により情報が通知されたアイテムと他のアイテムとの間の関連度を示す評価スコアを前記サーバ装置から取得する評価スコア取得部と、
前記評価スコア取得部により取得した評価スコア又は当該評価スコアの高いアイテムに関する情報をユーザに提示する情報提示部と、
を備え、
前記サーバ装置は、
アイテム間の関連度を示す第１のスコアを算出する第１のスコア算出部と、
アイテム間の関連度を示す第２のスコアを算出する第２のスコア算出部と、
同じアイテムの組に対して前記第１のスコア算出部により算出された第１のスコアと前記第２のスコア算出部により算出された第２のスコアとの関係を示す関係情報に基づき、前記第２のスコア算出部により算出された第２のスコアを前記第１のスコアと同等の尺度に変換して変換後スコアを算出する尺度変換部と、
同じアイテムの組について前記第１のスコア算出部により算出された第１のスコアと前記尺度変換部により算出された変換後スコアとを組み合わせて評価スコアを算出する評価スコア算出部と、
を有する、
端末装置。
【請求項１８】
アイテムに対してフィードバックを与えるためのフィードバック入力部と、
前記フィードバック入力部によりフィードバックが与えられたアイテムの情報をサーバ装置に通知するフィードバック通知部と、
前記フィードバック通知部により情報が通知されたアイテムと他のアイテムとの間の関連度を示す評価スコアを前記サーバ装置から取得する評価スコア取得部と、
前記評価スコア取得部により取得した評価スコア又は当該評価スコアの高いアイテムに関する情報をユーザに提示する情報提示部と、
を有する、端末装置と；
アイテム間の関連度を示す第１のスコアを算出する第１のスコア算出部と、
アイテム間の関連度を示す第２のスコアを算出する第２のスコア算出部と、
同じアイテムの組に対して前記第１のスコア算出部により算出された第１のスコアと前記第２のスコア算出部により算出された第２のスコアとの関係を示す関係情報に基づき、前記第２のスコア算出部により算出された第２のスコアを前記第１のスコアと同等の尺度に変換して変換後スコアを算出する尺度変換部と、
同じアイテムの組について前記第１のスコア算出部により算出された第１のスコアと前記尺度変換部により算出された変換後スコアとを組み合わせて評価スコアを算出する評価スコア算出部と、
を有する、前記サーバ装置と；
を含む、
情報提示システム。
【請求項１９】
アイテム間の関連度を示す第１のスコアを算出する第１のスコア算出ステップと、
アイテム間の関連度を示す第２のスコアを算出する第２のスコア算出ステップと、
同じアイテムの組に対して前記第１のスコア算出ステップで算出された第１のスコアと前記第２のスコア算出ステップで算出された第２のスコアとの関係を示す関係情報に基づき、前記第２のスコア算出ステップで算出された第２のスコアを前記第１のスコアと同等の尺度に変換して変換後スコアを算出する尺度変換ステップと、
同じアイテムの組について前記第１のスコア算出ステップで算出された第１のスコアと前記尺度変換ステップで算出された変換後スコアとを組み合わせて評価スコアを算出する評価スコア算出ステップと、
を含む、
評価スコアの算出方法。
【請求項２０】
アイテム間の関連度を示す第１のスコアを算出する第１のスコア算出機能と、
アイテム間の関連度を示す第２のスコアを算出する第２のスコア算出機能と、
同じアイテムの組に対して前記第１のスコア算出機能により算出された第１のスコアと前記第２のスコア算出機能により算出された第２のスコアとの関係を示す関係情報に基づき、前記第２のスコア算出機能により算出された第２のスコアを前記第１のスコアと同等の尺度に変換して変換後スコアを算出する尺度変換機能と、
同じアイテムの組について前記第１のスコア算出機能により算出された第１のスコアと前記尺度変換機能により算出された変換後スコアとを組み合わせて評価スコアを算出する評価スコア算出機能と、
をコンピュータに実現させるためのプログラム。